(57)【要約】【課題】  待機領域のスクリュー軸芯方向幅を狭くして装置の小型化を図っても、また、移動体の移動速度を速くして清掃時間の短縮を図っても、移動体を待機領域に停止させる際のトラブル発生を簡便に防止できるようにする。【解決手段】  放電ワイヤーの清掃部材を備えた移動体を放電ワイヤーに沿って往復移動自在に支持するとともに、螺旋溝１３を外周部に設けてあるスクリュー軸９を放電ワイヤーに沿って回転自在に支持して、移動体を螺旋溝に係合させ、スクリュー軸の駆動回転で、移動体をスクリュー軸端部側の待機領域１４から放電ワイヤーに沿って移動させて、放電ワイヤーを清掃部材で清掃可能に構成してある帯電装置であって、螺旋溝のスクリュー軸端部側におけるピッチＰａを、スクリュー軸中間部におけるピッチＰｂよりも小さくしてある。【選択図】        図２
2007057815.tif 000002
【特許請求の範囲】
【請求項１】
放電ワイヤーの清掃部材を備えた移動体を前記放電ワイヤーに沿って往復移動自在に支持するとともに、螺旋溝を外周部に設けてあるスクリュー軸を前記放電ワイヤーに沿って回転自在に支持して、前記移動体を前記螺旋溝に係合させ、
前記スクリュー軸の駆動回転で、前記移動体をスクリュー軸端部側の待機領域から前記放電ワイヤーに沿って移動させて、前記放電ワイヤーを前記清掃部材で清掃可能に構成してある帯電装置であって、
前記螺旋溝のスクリュー軸端部側におけるピッチを、スクリュー軸中間部におけるピッチよりも小さくしてある帯電装置。
【請求項２】
放電ワイヤーの清掃部材を備えた移動体を前記放電ワイヤーに沿って往復移動自在に支持するとともに、螺旋溝を外周部に設けてあるスクリュー軸を前記放電ワイヤーに沿って回転自在に支持して、前記移動体を前記螺旋溝に係合させ、
前記スクリュー軸の駆動回転で、前記移動体をスクリュー軸端部側の待機領域から前記放電ワイヤーに沿って移動させて、前記放電ワイヤーを前記清掃部材で清掃可能に構成してある帯電装置を備えた画像形成装置であって、
前記螺旋溝のスクリュー軸端部側におけるピッチを、スクリュー軸中間部におけるピッチよりも小さくしてある帯電装置を備えた画像形成装置。
【発明の詳細な説明】
【技術分野】
【０００１】
本発明は、放電ワイヤーの清掃部材を備えた移動体を前記放電ワイヤーに沿って往復移動自在に支持するとともに、螺旋溝を外周部に設けてあるスクリュー軸を前記放電ワイヤーに沿って回転自在に支持して、前記移動体を前記螺旋溝に係合させ、前記スクリュー軸の駆動回転で、前記移動体をスクリュー軸端部側の待機領域から前記放電ワイヤーに沿って移動させて、前記放電ワイヤーを前記清掃部材で清掃可能に構成してある帯電装置及びその帯電装置を備えた画像形成装置に関する。
【背景技術】
【０００２】
電子写真式画像形成装置においては、感光体ドラムの長手方向に沿って架設してあるシールド電極用の放電ワイヤーに電圧を印加して、その近傍の空気をコロナ放電によりイオン化するコロナ放電機構を設けて、感光体ドラムをコロナ帯電させるように構成してある。
上記帯電装置は、上記コロナ放電機構の放電ワイヤーによる帯電効率の低下を防止できるように、移動体をスクリュー軸端部側の待機領域から放電ワイヤーに沿って移動させて、清掃部材で放電ワイヤーを清掃可能に構成してあるが、従来の上記帯電装置では、スクリュー軸における螺旋溝のピッチを全長に亘って略一定に設定して（例えば、特許文献１参照）、スクリュー軸を略一定回転数で回転させることにより、移動体をその移動範囲の略全域に亘って略一定速度で移動させるように構成してある。
【０００３】
【特許文献１】特開平９−１１９４９９号公報
【発明の開示】
【発明が解決しようとする課題】
【０００４】
上記帯電装置や上記帯電装置を備えた画像形成装置において、放電ワイヤーの必要長さを確保しながら、スクリュー軸芯方向幅をできるだけ狭くして装置の小型化を図るために、待機領域のスクリュー軸芯方向幅を狭くしたい場合、待機領域のスクリュー軸芯方向幅を狭くした分だけ、スクリュー軸の回転を短時間で停止して、清掃作業を終えた移動体を待機領域に停止させる必要があるので、移動体の停止時に大きな衝撃を受け易く、移動体と螺旋溝との係合箇所がこじれて移動体が円滑に移動しなくなったり、放電ワイヤーが破損するなどのトラブルが発生し易い欠点がある。
また、清掃時間の短縮を図るために移動体の移動速度を速くするほど、待機領域での移動体の停止時に大きな衝撃を受け易いので、上記欠点は一層顕著に現れ易い。
本発明は上記実情に鑑みてなされたものであって、待機領域のスクリュー軸芯方向幅を狭くして装置の小型化を図っても、また、移動体の移動速度を速くして清掃時間の短縮を図っても、移動体を待機領域に停止させる際のトラブル発生を簡便に防止できるようにすることを目的とする。
【課題を解決するための手段】
【０００５】
本発明の第１特徴構成は、放電ワイヤーの清掃部材を備えた移動体を前記放電ワイヤーに沿って往復移動自在に支持するとともに、螺旋溝を外周部に設けてあるスクリュー軸を前記放電ワイヤーに沿って回転自在に支持して、前記移動体を前記螺旋溝に係合させ、前記スクリュー軸の駆動回転で、前記移動体をスクリュー軸端部側の待機領域から前記放電ワイヤーに沿って移動させて、前記放電ワイヤーを前記清掃部材で清掃可能に構成してある帯電装置であって、前記螺旋溝のスクリュー軸端部側におけるピッチを、スクリュー軸中間部におけるピッチよりも小さくしてある点にある。
【０００６】
〔作用及び効果〕
螺旋溝のスクリュー軸端部側におけるピッチを、スクリュー軸中間部におけるピッチよりも小さくしてあるので、移動体のスクリュー軸端部側での移動速度を、スクリュー軸中間部における移動速度よりも減速し易い。
従って、清掃作業を終えた移動体の移動速度を、スクリュー軸の回転数を特に減らすようなことなく、スクリュー軸端部側において予め減速しておいてから、スクリュー軸の回転を停止して、その移動体を待機領域に停止させることができるので、待機領域のスクリュー軸芯方向幅を狭くして装置の小型化を図っても、また、移動体の移動速度を速くして清掃時間の短縮を図っても、移動体の停止時に大きな衝撃を受けにくくなり、移動体を待機領域に停止させる際のトラブル発生を簡便に防止できる。
【０００７】
本発明の第２特徴構成は、放電ワイヤーの清掃部材を備えた移動体を前記放電ワイヤーに沿って往復移動自在に支持するとともに、螺旋溝を外周部に設けてあるスクリュー軸を前記放電ワイヤーに沿って回転自在に支持して、前記移動体を前記螺旋溝に係合させ、前記スクリュー軸の駆動回転で、前記移動体をスクリュー軸端部側の待機領域から前記放電ワイヤーに沿って移動させて、前記放電ワイヤーを前記清掃部材で清掃可能に構成してある帯電装置を備えた画像形成装置であって、前記螺旋溝のスクリュー軸端部側におけるピッチを、スクリュー軸中間部におけるピッチよりも小さくしてある点にある。
【０００８】
〔作用及び効果〕
螺旋溝のスクリュー軸端部側におけるピッチを、スクリュー軸中間部におけるピッチよりも小さくしてあるので、移動体のスクリュー軸端部側での移動速度を、スクリュー軸中間部における移動速度よりも減速し易い。
従って、清掃作業を終えた移動体の移動速度を、スクリュー軸の回転数を特に減らすようなことなく、スクリュー軸端部側において予め減速しておいてから、スクリュー軸の回転を停止して、その移動体を待機領域に停止させることができるので、待機領域のスクリュー軸芯方向幅を狭くして装置の小型化を図っても、また、移動体の移動速度を速くして清掃時間の短縮を図っても、移動体の停止時に大きな衝撃を受けにくくなり、移動体を待機領域に停止させる際のトラブル発生を簡便に防止できる。
【発明を実施するための最良の形態】
【０００９】
以下に本発明の実施の形態を図面に基づいて説明する。
図１は、複写機やプリンター，ファックスなどの電子写真式画像形成装置に備えてある本発明によるスコロトロン式帯電装置を示し、感光体ドラムの長手方向に沿って架設してあるシールド電極用の放電ワイヤー１とグリッド電極用のグリッドワイヤー２とに電圧を印加して、その近傍の空気をコロナ放電によりイオン化するコロナ放電機構を設けて、感光体ドラムをコロナ帯電させるように構成してある。
【００１０】
前記放電ワイヤー１とグリッドワイヤー２は、シールドケース３の開口部に沿って互いに略平行に架設してあり、放電ワイヤー１とグリッドワイヤー２とを清掃部材４，５で清掃可能な清掃装置６を設けてある。
【００１１】
前記清掃装置６は、放電ワイヤー１とグリッドワイヤー２とを各別に挟持して研磨清掃する二つの清掃部材４，５を備えた移動体７を放電ワイヤー１に沿って往復移動自在に支持するとともに、シールドケース３の一端側に設けてある直流電動モータ利用の駆動ユニット８によるスクリュー軸９の正逆駆動回転で、この移動体７を放電ワイヤー１に沿って往復駆動移動自在な往復駆動機構１０を設けて構成してある。
【００１２】
前記往復駆動機構１０は、図３に示すように、移動体７に一体に設けてある筒体１１にスクリュー軸９を挿通するとともに、そのスクリュー軸９を、放電ワイヤー１に沿って、シールドケース３の長手方向両端部に回転自在に支持し、筒体１１の内側に螺旋状に形成してある係止片１２を、スクリュー軸９の外周部に設けてある螺旋溝１３に係合させて、スクリュー軸９の駆動回転で、移動体７をスクリュー軸端部側、つまり、放電ワイヤー一端側の待機領域１４から放電ワイヤー１に沿って移動させて、放電ワイヤー１とグリッドワイヤー２とを清掃可能に構成してある。
【００１３】
前記スクリュー軸９の螺旋溝１３は、丸棒１５の外周側にコイル部材１６を固定して、その溝幅が全長に亘って係止片１２の移動方向幅よりも広くなるように設けてあり、図２に示すように、螺旋溝１３のスクリュー軸両端部側の一定範囲ＡにおけるピッチＰａを、スクリュー軸中間部における一定ピッチＰｂよりも小さい一定ピッチにして、スクリュー軸９を略一定の回転数で回転させながら、放電ワイヤー１の両端部近くでは、移動体７の移動速度がスクリュー軸中間部での移動速度よりも遅くなるように構成してある。
【００１４】
そして、図１に示すように、駆動ユニット８近くのスクリュー軸一端側の待機領域１４で移動体７が待機している状態で、図外の制御装置から駆動指令の入力があると、スクリュー軸９を略一定の回転数で回転させて、移動体７をスクリュー軸他端側に向けて移動させ、移動体７がスクリュー軸他端側近くに移動すると、その移動速度を低下させてから、スクリュー軸９を逆回転させて、移動体７を待機領域１４に向けて復帰移動させ、移動体７が待機領域１４近くに移動すると、その移動速度を低下させてから、スクリュー軸９の回転を止めて、次の駆動指令の入力があるまで、移動体７を待機領域１４で待機させるように構成してある。
【００１５】
〔その他の実施形態〕
１．本発明による帯電装置や画像形成装置に備える帯電装置は、スクリュー軸両端部側の夫々に待機領域を設けて、移動体を二つの待機領域で交互に待機させるように構成してあっても良い。
２．本発明による帯電装置や画像形成装置に備える帯電装置は、待機領域をスクリュー軸一端部側にのみ設けてある場合、その待機領域側のスクリュー軸端部側においてのみ、螺旋溝のピッチをスクリュー軸中間部におけるピッチよりも小さくしてあっても良い。
３．本発明による帯電装置や画像形成装置に備える帯電装置は、コロトロン式帯電装置であっても良い。
【図面の簡単な説明】
【００１６】
【図１】帯電装置の内部を示す側面図
【図２】要部の側面図
【図３】要部の断面図
【符号の説明】
【００１７】
１    放電ワイヤー
４    清掃部材
７    移動体
９    スクリュー軸
１３  螺旋溝
１４  待機領域
Ｐａ  ピッチ
Ｐｂ  ピッチ
【図１】
2007057815.tif 000003
【図２】
2007057815.tif 000004
【図３】
2007057815.tif 000005